(57)【要約】【課題】  調査対象物品の情報がバーコードで記載され、手書きで物品数が入力される調票を用いた、作業性に優れた棚卸システムおよび棚卸方法を提供する。【解決手段】  物品保管ブロックＡ，Ｂ，Ｃにはそれぞれ、在庫物品量記憶装置１２と、所定の棚位置に保管された物品について調査対象物品ごとに在庫物品量を書き込むための前記調査対象物品の情報がバーコードで記載された調票１１と、バーコード読取り装置１２と、調票に書き込まれた前記在庫物品量を操作者のキー入力または音声入力により取得する在庫物品量取得手段１３と、在庫物品量実際値／理論値比較手段１４と、在庫物品量実際値／理論値比較手段による比較において、実際値と前記理論値との差が所定値を超えるときはユーザインタフェースを介して、ユーザに警告を発する警告発生手段１５と備える。【選択図】  図１
2006103958.tif 000002
【特許請求の範囲】
【請求項１】
棚卸が複数の物品保管ブロックにおいて独立して行われ、棚卸結果がホストコンピュータに送出される棚卸システムであって、
前記物品保管ブロックにはそれぞれ、
調査対象物品ごとに前記ホストコンピュータからダウンロードした在庫物品量の理論値を記憶する在庫物品量記憶装置と、
所定の棚位置に保管された物品について調査対象物品ごとに在庫物品量を書き込むための前記調査対象物品の情報がバーコードで記載された調票と、
前記調票の前記バーコードを読み取るバーコード読取り装置と、
前記バーコードに記載されている前記調査対象物品に対応する入力欄を呼び出し、前記調票に書き込まれた前記在庫物品量を操作者のキー入力または音声入力により取得する在庫物品量取得手段と、
前記在庫物品量取得手段により取得した在庫物品量の実際値を、前記在庫物品量記憶装置に記憶されている前記理論値とを比較する在庫物品量実際値／理論値比較手段と、
前記在庫物品量実際値／理論値比較手段による比較において、前記実際値と前記理論値との差がゼロでないときはユーザインタフェースを介して、ユーザに警告を発する警告発生手段と、
前記在庫物品量実際値／理論値比較ステップにおける比較において、前記実際値と前記理論値との差がゼロのときは、ホストコンピュータに棚卸結果を通知する棚卸結果通知手段と、
が備えられていることを特徴とする棚卸システム。
【請求項２】
前記在庫物品量取得手段および前記在庫物品量実際値／理論値比較手段は、
前記物品保管ブロックに備えられた端末コンピュータのＣＰＵおよびＲＯＭまたはＲＡＭに記憶されたプログラムにより実現されることを特徴とする請求項１に記載の棚卸システム。
【請求項３】
棚卸が複数の物品保管ブロックにおいて独立して行われ、物品保管ブロックごとの棚卸結果がホストコンピュータに送出される棚卸方法であって、
前記物品保管ブロックではそれぞれ、
調査対象物品ごとに在庫物品量の理論値を前記ホストコンピュータからダウンロードして在庫物品量記憶装置に記憶する在庫物品量記憶ステップと、
調査対象物品の情報がバーコードで記載された調票に、所定の棚位置に保管された物品について、調査対象物品ごとに在庫物品量を書き込ませる在庫物品量書込みステップと、
前記調票に記載された前記バーコードを読み取らせるバーコード読取りステップと、
前記バーコードに記載されている前記調査対象物品に対応する入力欄を呼び出し、前記調票に書き込まれた前記在庫物品量を、前記入力欄にキー入力または音声入力することで在庫物品量の実際値を取得する在庫物品量取得ステップと、
前記在庫物品量取得ステップにおいて取得した在庫物品量の実際値と、前記在庫物品量記憶ステップにおいて記憶した在庫物品量の理論値とを比較する在庫物品量実際値／理論値比較ステップと、
前記在庫物品量実際値／理論値比較ステップにおける比較において、前記実際値と前記理論値との差がゼロでないときは、ユーザインタフェースを介して、ユーザに警告を発する警告発生ステップと、
前記在庫物品量実際値／理論値比較ステップにおける比較において、前記実際値と前記理論値との差がゼロのときは、ホストコンピュータに棚卸結果を通知する棚卸結果通知ステップと、
前記警告があったときに実行される、
前記調票に記載されている在庫物品量の取得ミスの有無をチェックし、前記取得ミスがあるときは在庫物品量書込みステップに処理を戻す在庫物品量取得ミスチェックステップと、
前記在庫物品量取得ミスチェックステップにおいて前記取得ミスがないときは、在庫物品量の入力ミスの有無をチェックし、前記入力ミスがあるときは在庫物品量取得ステップに処理を戻す在庫物品量入力ミスチェックステップと、
前記在庫物品量入力ミスチェックステップにおいて前記入力ミスがないときは、ロス値の修正を行い、処理を前記在庫物品量実際値／理論値比較ステップに戻すロス値修正ステップと、
を含むことを特徴とする棚卸方法。
【請求項４】
前記在庫物品量入力ミスチェックステップおよび前記在庫物品量入力ミスチェックステップを実行した後に、前回の棚卸が正しいか否かのチェックを行う前回棚卸量チェックステップと、
前回棚卸量チェックステップにおいて前回の棚卸が正しくないと判断したときは、前回棚卸量の修正を行う前回棚卸量修正ステップと、
前回棚卸量チェックステップにおいて前回の棚卸が正しくないと判断したときは、入出庫量のチェックを行い、入出庫量が正しいと判断したときは処理を前記ロス値修正ステップに渡す入出庫量チェックステップと、
前記入出庫量チェックステップにおいて入出庫量が正しくないと判断したときは入出庫量の修正を行い処理を前記在庫物品量実際値／理論値比較ステップに処理を戻す入出庫量修正ステップと、
を含むことを特徴とする請求項３に記載の棚卸方法。
【発明の詳細な説明】
【技術分野】
【０００１】
本発明は、調査対象物品の情報がバーコードで記載され、手書きで物品数が入力される調票を用いた棚卸システムおよび棚卸方法に関する。
【背景技術】
【０００２】
従来の棚卸システムでは、棚卸作業者が、保管庫に保管されている在庫物品を数え、ホストコンピュータにより在庫物品数の実際値と理論値とを比較し、比較結果をディスプレイに表示出力等している。
【０００３】
たとえば、この種の棚卸システムでは、複数の物品保管ブロックに分割された棚卸作業領域においてそれぞれ棚卸作業が実行される。たとえば物品棚の各所に物品種を示すラベルが貼り付けられている。
【０００４】
（Ａ）具体的には、棚卸作業者は在庫物品表を携帯しており、目視により計数した物品個数を在庫物品表に記入する。棚卸作業者は、在庫物品表への記入が全ての物品について終了すると、在庫物品表の内容を端末コンピュータに手入力する。端末コンピュータに手入力された在庫物品の個数情報は、ホストコンピュータに送出される。
【０００５】
ホストコンピュータでは各物品保管ブロックの端末コンピュータから受け取った在庫個数の実際値と理論値とを比較する。ある物品保管ブロックにおける在庫物品の実際値と理論値とが異なるときは、その物品保管ブロックの棚卸作業者に、該当する在庫物品の個数の確認を指示し、指示を受けた棚卸作業者は該当する在庫物品の個数を再計数する。
【０００６】
（Ｂ）また、棚卸作業者はバーコードリーダと端末装置を携帯しており、バーコードリーダによりバーコードを読み取ることで棚卸のための調査対象となる物品あるいは商品（本明細書において「調査対象物品」と言う）の種類を特定し、目視により計数した物品個数をキーボードから入力する。バーコードリーダにより読み取られた物品種情報およびキーボードから入力された物品個数情報はホストコンピュータに送出される。
【０００７】
（Ａ）の場合と同様、ホストコンピュータでは、各ブロックの端末コンピュータから受け取った在庫個数の実際値と、理論値とを比較し、あるブロックにおける在庫物品の実際値と理論値とが異なるときは、そのブロックの棚卸作業者に、該当する在庫物品の個数の確認を指示し、指示を受けた棚卸作業者は該当する物品の個数を再計数する。
【発明の開示】
【発明が解決しようとする課題】
【０００８】
しかし、（Ａ）に示した棚卸方法では、在庫物品表の内容を、端末コンピュータに表示された表計算等の入力セルにキー入力する際に、入力ミスが生じる易い。
この入力ミスの一要因は、棚卸作業者（入力作業者）が、在庫物品表のセルと、コンピュータに表示された表計算ソフトウェアの対応するセルとを対応付けて入力しなくてはならないことにある。
【０００９】
また、（Ｂ）に示した棚卸方法では、棚卸作業者は、バーコードリーダと、キー入力装置を携帯し、バーコードリーダによるバーコードの読取り操作、キー入力装置による数値入力操作を物品ごとに行わなければならず、（Ａ）の棚卸方法よりも作業効率が劣る傾向が強い。
【００１０】
本発明の目的は、調査対象物品の情報がバーコードで記載され、手書きで物品数が入力される調票を用いた、作業性に優れた棚卸システムおよび棚卸方法を提供することにある。
【課題を解決するための手段】
【００１１】
本発明の棚卸システムは、
棚卸が複数の物品保管ブロックにおいて独立して行われ、棚卸結果がホストコンピュータに送出されるものであって、
前記物品保管ブロックにはそれぞれ、
調査対象物品ごとに前記ホストコンピュータからダウンロードした在庫物品量の理論値を記憶する在庫物品量記憶装置と、
所定の棚位置に保管された物品について調査対象物品ごとに在庫物品量を書き込むための前記調査対象物品の情報がバーコードで記載された調票と、
前記調票の前記バーコードを読み取るバーコード読取り装置と、
前記バーコードに記載されている前記調査対象物品に対応する入力欄を呼び出し、前記調票に書き込まれた前記在庫物品量を操作者のキー入力または音声入力により取得する在庫物品量取得手段と、
前記在庫物品量取得手段により取得した在庫物品量の実際値を、前記在庫物品量記憶装置に記憶されている前記理論値とを比較する在庫物品量実際値／理論値比較手段と、
前記在庫物品量実際値／理論値比較手段による比較において、前記実際値と前記理論値との差がゼロでないときはユーザインタフェースを介して、ユーザに警告を発する警告発生手段と、
前記在庫物品量実際値／理論値比較ステップにおける比較において、前記実際値と前記理論値との差がゼロのときは、ホストコンピュータに棚卸結果を通知する棚卸結果通知手段と、
が備えられていることを特徴とする。
【００１２】
本発明の棚卸システムでは、前記在庫物品量取得手段および前記在庫物品量実際値／理論値比較手段は、前記物品保管ブロックに備えられた端末コンピュータのＣＰＵおよびＲＯＭまたはＲＡＭに記憶されたプログラムにより実現することができる。
【００１３】
本発明の棚卸方法は、棚卸が複数の物品保管ブロックにおいて独立して行われ、物品保管ブロックごとの棚卸結果がホストコンピュータに送出されるものであって、
前記物品保管ブロックではそれぞれ、
調査対象物品ごとに在庫物品量の理論値を前記ホストコンピュータからダウンロードして在庫物品量記憶装置に記憶する在庫物品量記憶ステップと、
調査対象物品の情報がバーコードで記載された調票に、所定の棚位置に保管された物品について、調査対象物品ごとに在庫物品量を書き込ませる在庫物品量書込みステップと、
前記調票に記載された前記バーコードを読み取らせるバーコード読取りステップと、
前記バーコードに記載されている前記調査対象物品に対応する入力欄を呼び出し、前記調票に書き込まれた前記在庫物品量を、前記入力欄にキー入力または音声入力することで在庫物品量の実際値を取得する在庫物品量取得ステップと、
前記在庫物品量取得ステップにおいて取得した在庫物品量の実際値と、前記在庫物品量記憶ステップにおいて記憶した在庫物品量の理論値とを比較する在庫物品量実際値／理論値比較ステップと、
前記在庫物品量実際値／理論値比較ステップにおける比較において、前記実際値と前記理論値との差がゼロでないときは、ユーザインタフェースを介して、ユーザに警告を発する警告発生ステップと、
前記在庫物品量実際値／理論値比較ステップにおける比較において、前記実際値と前記理論値との差がゼロのときは、ホストコンピュータに棚卸結果を通知する棚卸結果通知ステップと、
前記警告があったときに実行される、
【００１４】
前記調票に記載されている在庫物品量の取得ミスの有無をチェックし、前記取得ミスがあるときは在庫物品量書込みステップに処理を戻す在庫物品量取得ミスチェックステップと、
前記在庫物品量取得ミスチェックステップにおいて前記取得ミスがないときは、在庫物品量の入力ミスの有無をチェックし、前記入力ミスがあるときは在庫物品量取得ステップに処理を戻す在庫物品量入力ミスチェックステップと、
【００１５】
前記在庫物品量入力ミスチェックステップにおいて前記入力ミスがないときは、ロス値の修正を行い、処理を前記在庫物品量実際値／理論値比較ステップに戻すロス値修正ステップと、
を含むことを特徴とする。
【００１６】
前記棚卸方法では、在庫物品量入力ミスチェックステップおよび前記在庫物品量入力ミスチェックステップを実行した後に、前回の棚卸が正しいか否かのチェックを行う前回棚卸量チェックステップと、
前回棚卸量チェックステップにおいて前回の棚卸が正しくないと判断したときは、前回棚卸量の修正を行う前回棚卸量の修正ステップと、
前回棚卸量チェックステップにおいて前回の棚卸が正しくないと判断したときは、入出庫量のチェックを行い、入出庫量が正しいと判断したときは処理を前記ロス値修正ステップに渡す入出庫量チェックステップと、
前記入出庫量チェックステップにおいて入出庫量が正しくないと判断したときは入出庫量の修正を行い処理を前記在庫物品量実際値／理論値比較ステップに処理を戻す入出庫量修正ステップと、
を含むことができる。
【００１７】
前記棚卸方法では、前記在庫物品量記憶ステップ、前記バーコード読取りステップ、前記在庫物品量取得ステップ、前記在庫物品量実際値／理論値比較ステップ、前記警告発生ステップ、前記棚卸結果通知ステップは、コンピュータに実行可能なプログラムにより実行される。
【発明の効果】
【００１８】
調査対象物品の情報がバーコードで記載され、手書きで物品数を入力することで、誤りの発生が少ない棚卸システム、棚卸方法を提供することができる。
【００１９】
本発明では、在庫物品量の理論値はインターネット等のネットワークを介してホストコンピュータからダウンロードされ、棚卸結果は上記ネットワークを介してホストコンピュータに送信（アップロード）される。在庫物品量の実際値と、理論値との一致は、各ブロックに設けられた端末コンピュータが判断するので、システム構成を単純化することができる（ホストコンピュータに依存せずに棚卸ができる）。
【発明を実施するための最良の形態】
【００２０】
図１は本発明の棚卸システムの一実施形態を示す説明図である。図１の棚卸システム１では、棚卸が複数の物品保管ブロックＡ，Ｂ，Ｃ，・・・において独立して行われ、各棚卸結果がネットワーク１００を介してホストコンピュータ３に送出される。
【００２１】
図１では物品保管ブロックＡにおける棚卸に際して、棚ａについて作業をする場合を示してある。物品保管ブロックＡは、調票（棚卸票）１１と、在庫物品量記憶装置１２と、バーコード読取り装置１３と、在庫物品量取得手段１４と、在庫物品量実際値／理論値比較手段１５と、警告発生手段１６と、通信手段１７とを備えている。
【００２２】
なお、在庫物品量記憶装置１２は端末コンピュータ２に付属のハードディスク等であり、在庫物品量取得手段１４、在庫物品量実際値／理論値比較手段１５は、物品保管ブロックＡに備えられた端末コンピュータ２のＣＰＵ、およびＲＯＭまたはＲＡＭに記憶されたプログラムにより実現される。
【００２３】
調票１１は、所定の棚位置に保管された物品について、調査対象物品ごとに在庫物品量を書き込むためのカードであり、調査対象物品の情報がバーコードで記載されている。
【００２４】
バーコードには、棚卸場所、棚卸物品に対応する情報等（場所コード、資材コード等）を埋め込むことがでる。なお、本実施形態では、棚卸に際しての間違いを低減するために、バーコードには、棚卸場所に対応する情報（場所コード）が埋め込まれている。
【００２５】
調票１１は、図２に示すようにバーコードを記載した紙を、合成樹脂でラミネートして作成することができ、これにより水性のフェルトペン等により物品量（数値）を記入でき、また布等により消去することができ、再利用が可能となる。調票１１の大きさは限定されないが、たとえば、名刺程度の大きさないし官製はがき程度の大きさとすることができる。
【００２６】
在庫物品量記憶装置１２は、調査対象物品ごとに通信手段１７を介してホストコンピュータ３からダウンロードした在庫物品量の理論値を記憶する。
バーコード読取り装置１３は、調票１１のバーコードを読み取ることができる。
【００２７】
在庫物品量取得手段１４は、バーコードに記載されている調査対象物品に対応する入力欄を呼び出し、調票１１に書き込まれた在庫物品量を操作者（棚卸作業者）のキー入力または音声入力により取得する。
【００２８】
たとえば、在庫物品量取得手段１４が表計算等のソフトウェアの入力インタフェースであるときは、在庫物品量取得手段１４は、バーコード読取り装置１３が読み取ったバーコードに含まれる物品種に対応する入力欄をディスプレイの入力欄に表示することができる。
【００２９】
在庫物品量実際値／理論値比較手段１５は、在庫物品量取得手段１４により取得した在庫物品量の実際値を、在庫物品量記憶装置１２に記憶されている理論値とを比較する。在庫物品量実際値／理論値比較手段１５は、たとえば、表計算等のソフトウェアにアドオンしたプログラムにより実現される。
【００３０】
警告発生手段１６は、在庫物品量実際値／理論値比較手段１５による比較において、在庫物品量の実際値と理論値との所定値を超えるときはユーザインタフェースを介して、ユーザに警告を発する。この場合のユーザインタフェースは、ディスプレイやスピーカであり、ユーザは、警告表示または警告音声により在庫物品量の実際値と理論値との差が所定値を超えたことを知ることができる。
通信手段１７は、ホストコンピュータ３との通信を行うことができる。
【００３１】
図３（Ａ），（Ｂ）により、本発明の棚卸方法の処理を説明する。
本発明の棚卸方法では、棚卸が複数の物品保管ブロックにおいて独立して行われ、物品保管ブロックごとの棚卸結果がホストコンピュータに送出される。
物品保管ブロックではそれぞれ以下の処理が行われる。
【００３２】
図３（Ａ）に示すように、在庫物品量記憶ステップＳ１１０においては、調査対象物品ごとに在庫物品量の理論値をホストコンピュータ３からダウンロードして在庫物品量記憶装置１２に記憶する。以下、図３（Ｂ）により説明する。
在庫物品量書込みステップＳ１２１においては、調査対象物品の情報がバーコードで記載された調票１１に、所定の棚位置に保管された物品について、調査対象物品ごとに在庫物品量を書き込ませる。この書込みは全調票について行われる（Ｓ１２２）。
【００３３】
バーコード読取りステップＳ１２３においては、調票１１に記載されたバーコードの読み取りが行われる。
在庫物品量取得ステップＳ１２４においては、バーコードに記載されている調査対象物品に対応する入力欄を呼び出し、調票１１に書き込まれた在庫物品量を、入力欄にキー入力または音声入力することで在庫物品量の実際値を取得する。
【００３４】
在庫物品量実際値／理論値比較ステップＳ１２５では、在庫物品量取得ステップ１２４において取得した在庫物品量の実際値と、在庫物品量記憶ステップＳ１１０において記憶した在庫物品量の理論値とを比較する。
【００３５】
実際値と理論値との差がゼロのとき（Ｓ１２６の「ｙｅｓ」）は、棚卸結果（表計算等のファイル）が、通信手段１７によりホストコンピュータ３に送出される（Ｓ１２７）。実際値と理論値との差がゼロでないとき（Ｓ１２６の「no」）は、処理を警告発生ステップＳ１２８に移す。
【００３６】
警告発生ステップＳ１２８では、在庫物品量実際値／理論値比較ステップＳ１２５における比較において、在庫物品量の実際値と理論値との差が所定値を超えるときは、ユーザインタフェースを介して、ユーザに警告を発し、処理を在庫物品量取得ミスチェックステップS１２９に移す。
【００３７】
在庫物品量取得ミスチェックステップS１２９では、調票１１に記載されている在庫物品量の取得ミスの有無をチェックし、前記取得ミスがあるとき（S１３０の「ｙｅｓ」）は処理を在庫物品量書込みステップＳ１２１に戻し当該取得ミスがあった物品についての正しい値を再入力させる。前記入力ミスがないとき（S１３０の「ｎｏ」）は処理を在庫物品量入力ミスチェックステップＳ１３１に移す。
【００３８】
在庫物品量入力ミスチェックステップＳ１３１では、在庫物品量の入力ミスがあるとき（S１３２の「ｙｅｓ」）は処理を在庫物品量取得ステップＳ１２４に戻し、入力ミスがないとき（S１３２の「ｎｏ」）は、前回棚卸量チェックステップＳ１３３において前回の棚卸量のチェックを行う。前回の棚卸量が正しくないとき（S１３４の「ｎｏ」）は、前回棚卸量修正テップ１３５において前回棚卸量の修正を行う。前回棚卸量が正しくない場合として、たとえばあるブロックに入庫するべき物品の一部が、手違い等により他のブロックに割り当てられてしまい、気付かれずにいる場合がある。このような場合には棚卸量のチェックにより、前回棚卸量の修正が行われた後、処理を在庫物品量実際値／理論値比較ステップＳ１２５に戻す。
【００３９】
前回の棚卸量が正しいとき（S１３４の「ｙｅｓ」）は、入庫量チェックステップＳ１３６において入庫量のチェックを行う。
入庫量が正しくないとき（S１３７の「ｎｏ」）は、入庫量修正ステップＳ１３８において入庫量の修正を行い、処理を在庫物品量実際値／理論値比較ステップＳ１２５に戻す。入庫量が正しいとき（S１３７の「ｙｅｓ」）は、出庫量チェックステップＳ１３９において出庫量のチェックを行う。出庫量チェックステップＳ１３９において、出庫数が正しくないときは（Ｓ１４０の「ｎｏ」）、出庫量修正ステップＳ１４１において出庫量の修正を行い、処理を在庫物品量実際値／理論値比較ステップＳ１２５に戻す。出庫数が正しいときは（Ｓ１３８の「ｙｅｓ」）、ロス値修正ステップＳ１４２においてロス値の修正を行い、処理を在庫物品量実際値／理論値比較ステップＳ１２５に戻す。なお、Ｓ１３６，Ｓ１３７、Ｓ１３９，Ｓ１４０が、本発明の棚卸方法における入出庫量チェックステップであり、Ｓ１３８，Ｓ１４１が本発明の棚卸方法における入出庫量修正ステップである。
【００４０】
本発明の棚卸方法の他の実施形態では、図４に示すように、前回棚卸量修正テップ１３５、入庫量チェックステップＳ１３６および入庫量の判断ステップS１３７を省略することができる。
【００４１】
図３（Ａ），（Ｂ）に示すシステムにおける棚卸処理前の、前残、入庫、理論出庫（実出庫からロスを差し引いた量）、ロス、理論在庫、実在庫の各値を図５（Ａ）に示し、棚卸処理後の、前残、入庫、理論出庫、ロス、理論在庫、実在庫、棚卸誤差の値を図５（Ｂ）に示す。なお、本実施形態では、棚卸処理においては、上記各値は、実在庫、前残、入庫、理論出庫、ロス(実誤差)の順でチェックされる。
図５（Ａ）では、実際値と理論値との差がゼロではないので、前述したように、Ｓ１２６の判断後の処理は警告発生ステップＳ１２８に移される（Ｓ１２６の「no」）。この時点では、ロス値（実誤差）は不確定である。
【００４２】
在庫物品量の取得ミスがなく（Ｓ１３０の「no」）、在庫物品量の入力ミスがなく（Ｓ１３２の「no」）、前回棚卸量が正しく（Ｓ１３４の「ｙｅｓ」）、入庫量および出庫量が正しいとき（Ｓ１３７の「ｙｅｓ」，Ｓ１４０の「ｙｅｓ」）は、Ｓ１４２でロス値（（理論在庫）−（実在庫））の修正が行われる。棚卸処理前（図５（Ａ））では、理論在庫が５．３ｋｇ、実在庫が５．０ｋｇなので、棚卸処理後（図５（Ｂ））では、ロス値は０．３にセットされる。ロス値が０．３にセットされれば、実際値と理論値との差がゼロとなるので、処理は棚卸結果通知ステップＳ１２７に移行する（Ｓ１２６の「ｙｅｓ」）。
【００４３】
在庫物品量記憶ステップ、バーコード読取りステップ、在庫物品量取得ステップ、在庫物品量実際値／理論値比較ステップ、警告発生ステップ、棚卸結果通知ステップは、コンピュータに実行可能なプログラムにより実行される。は、コンピュータに実行可能なプログラム（在庫物品量記憶プログラム，バーコード読取りプログラム，在庫物品量取得プログラム，在庫物品量実際値／理論値比較プログラム，警告発生プログラム）により実行される。
本発明では、各部門ごとの棚卸の結果を総合して管理することで、過多の仕入等、適切な仕入管理を行うことも可能となる。
【図面の簡単な説明】
【００４４】
【図１】本発明の棚卸システムを示す一実施形態を示す説明図である。
【図２】本発明において使用される、調票の例を示す図である。
【図３】（Ａ），（Ｂ）は本発明の棚卸方法の実施形態における処理を説明するための図である。
【図４】本発明の棚卸方法の他の実施形態における処理を説明するための図である。
【図５】（Ａ）は、本発明の棚卸処理前の残量、入庫、理論出庫、ロス、理論在庫、実在庫の値を示す図、（Ｂ）は本発明の棚卸処理後の残量、入庫、理論出庫、ロス、理論在庫、実在庫の値を示す図である。
【符号の説明】
【００４５】
１  棚卸システム
２  端末コンピュータ
３  ホストコンピュータ
１１  調票
１２  在庫物品量記憶装置
１３  バーコード読取り装置
１４  在庫物品量取得手段
１５  在庫物品量実際値／理論値比較手段
１６  警告発生手段
１７  通信手段
Ａ，Ｂ，Ｃ  物品保管ブロック
【図１】
2006103958.tif 000003
【図２】
2006103958.tif 000004
【図３】
2006103958.tif 000005
【図４】
2006103958.tif 000006
【図５】
2006103958.tif 000007